(57)【要約】【課題】本発明は、運搬時等においてストロボ光発光面を露出しないようにし、他の部材と接触して損傷したり、汚れたりすることを回避できるストロボ装置を提供する。【解決手段】本発明ストロボ装置１は、カメラシュー部への装着用のストロボシュー部５を下部側に備えたストロボ本体２と、このストロボ本体２における上部側の一つの壁面部に連結したストロボ光発光面１１を備えたストロボ発光部１０と、ストロボ発光部１０を、ストロボ光発光面１１側がストロボ光照射位置とストロボ本体２の壁面部側に隠れる収納位置とにわたって回動させる発光部回動機構部２０とを有するものである。【選択図】図１
2009204634.tif 000002
【特許請求の範囲】
【請求項１】
カメラシュー部への装着用のストロボシュー部を備えたストロボ本体と、
このストロボ本体に連結したストロボ光発光面を備えたストロボ発光部と、
前記ストロボ発光部を、前記ストロボ光発光面側がストロボ光照射位置とストロボ本体側に隠れる収納位置とにわたって回動させる発光部回動機構部と、
を有することを特徴とするストロボ装置。
【請求項２】
カメラシュー部への装着用のストロボシュー部を下部側に備えたストロボ本体と、
このストロボ本体における上部側の一つの壁面部に連結したストロボ光発光面を備えたストロボ発光部と、
前記ストロボ発光部を、前記ストロボ光発光面側がストロボ光照射位置とストロボ本体の前記壁面部側に隠れる収納位置とにわたって回動させる発光部回動機構部と、
を有することを特徴とするストロボ装置。
【請求項３】
カメラシュー部への装着用のクランプリング及びシュークリップを具備するストロボシュー部を下部側に備えたストロボ本体と、
このストロボ本体における上部側の一つの壁面部に連結したストロボ光発光面を備えた略直方体状のストロボ発光部と、
前記ストロボ本体から前記ストロボ発光部の側壁に臨む位置に突設した円形孔を有する支持片と、前記ストロボ発光部の側壁から前記円形孔に遊嵌する状態で側方に突設され前記支持片により回動可能に支持される回動軸と、回動軸の突出端に装着した回動操作蓋体と、を具備し、前記回動操作蓋体の回動操作により、前記ストロボ発光部を、前記ストロボ光発光面側がストロボ光照射位置とストロボ本体の前記壁面部側に隠れる収納位置とにわたって回動させる発光部回動機構部と、
を有することを特徴とするストロボ装置。
【請求項４】
前記発光部回動機構部は、ストロボ発光部の回動操作時にクリック感を与えるクリック機構を備えることを特徴とする請求項３記載のストロボ装置。
【発明の詳細な説明】
【技術分野】
【０００１】
本発明は、ストロボ装置に関し、詳しくは、ストロボ本体に連結したストロボ発光部におけるストロボ光発光面の保護を図ったストロボ装置に関するものである。
【背景技術】
【０００２】
一般に、カメラに対して装着するように構成したストロボ装置においては、通常カメラシュー部への装着用のストロボシュー部をストロボ本体に備えるとともに、ストロボ発光部をストロボ本体と一体に、又は、ストロボ本体に対して回動可能に備える構成としている。
【０００３】
このようなカメラ装着型のストロボ装置においては、ストロボ発光部のストロボ光発光面は露出しているのが殆どであり、このため、運搬時等においてストロボ光発光面が他の部材と接触した際に損傷したり、汚れたりして本来のストロボ光照射機能が損なわれるという事態が多々生じる。
【０００４】
特許文献１には、ストロボ光の発光部を備えるヘッド部を、ストロボ本体部に収納可能として運搬時等における形状をコンパクトにする構成としたストロボ装置が提案されている。
【０００５】
この特許文献１の場合、ストロボ装置の全体形状のコンパクト化は図れるものの、発光部の発光面自体を外部に露出しないようにし損傷や汚れを防止する構成としたものではない。
【特許文献１】特開２００４−２０８８７号公報
【発明の開示】
【発明が解決しようとする課題】
【０００６】
本発明が解決しようとする問題点は、運搬時等においてストロボ光発光面を露出しないようにし、他の部材と接触して損傷したり、汚れたりすることを回避するように構成したストロボ装置が存在しない点である。
【課題を解決するための手段】
【０００７】
本発明のストロボ装置は、カメラシュー部への装着用のストロボシュー部を備えたストロボ本体と、このストロボ本体に連結したストロボ光発光面を備えたストロボ発光部と、前記ストロボ発光部を、前記ストロボ光発光面側がストロボ光照射位置とストロボ本体側に隠れる収納位置とにわたって回動させる発光部回動機構部と、を有することを最も主要な特徴とする。
【発明の効果】
【０００８】
請求項１記載の発明によれば、発光部回動機構部により、ストロボ発光部を、ストロボ光発光面側がストロボ光照射位置とストロボ本体側に隠れる収納位置とにわたって回動させるように構成したことにより、運搬時等においてストロボ光発光面を収納位置とすることで、他の部材と接触して損傷したり、汚れたりするという事態を皆無とすることができる斬新なストロボ装置を提供することができる。
【０００９】
請求項２記載の発明によれば、ストロボ本体の下部側にストロボシュー部を備え、ストロボ本体の上部側の一つの壁面部にストロボ発光部を配置した構成で、請求項１記載の発明と同様な効果を奏するストロボ装置を提供することができる。
【００１０】
請求項３記載の発明によれば、発光部回動機構部を、ストロボ本体からストロボ発光部の側壁に臨む位置に突設した円形孔を有する支持片と、ストロボ発光部の側壁から前記円形孔に遊嵌する状態で側方に突設され支持片により回動可能に支持される回動軸と、回動軸の突出端に装着した回動操作蓋体とを具備する構成として、請求項２記載の発明と同様な効果を奏するストロボ装置を提供することができる。
【００１１】
請求項４記載の発明によれば、請求項３記載の発明と同様な効果を奏するとともに、ストロボ発光部の回動操作時にクリック感を与えるクリック機構を備えることから、ストロボ発光部の回動操作時に良好な操作感を得ることができるストロボ装置を提供することができる。
【発明を実施するための最良の形態】
【００１２】
本発明は、運搬時等においてストロボ光発光面を露出しないようにし、他の部材と接触して損傷したり、汚れたりすることを回避できるストロボ装置を提供することを目的とするものである。
【００１３】
本発明のストロボ装置は、カメラシュー部への装着用のクランプリング及びシュークリップを具備するストロボシュー部を下部側に備えたストロボ本体と、このストロボ本体における上部側の一つの壁面部に連結したストロボ光発光面を備えた略直方体状のストロボ発光部と、前記ストロボ本体から前記ストロボ発光部の側壁に臨む位置に突設した円形孔を有する支持片と、前記ストロボ発光部の側壁から前記円形孔に遊嵌する状態で側方に突設され前記支持片により回動可能に支持される回動軸と、回動軸の突出端に装着した回動操作蓋体と、を具備し、前記回動操作蓋体の回動操作により、前記ストロボ発光部を、前記ストロボ光発光面側がストロボ光照射位置とストロボ本体の前記壁面部側に隠れる収納位置とにわたって回動させる発光部回動機構部と、を有する構成により上記目的を実現した。
【実施例】
【００１４】
以下に、本発明の実施例に係るストロボ装置について図面を参照して詳細に説明する。
【００１５】
本実施例に係るストロボ装置１は、図１、図２に示すように、図示しないがカメラにおけるカメラシュー部への装着用のクランプリング６及び図示しないシュークリップを具備するストロボシュー部５を下部側に備えたストロボ本体２と、このストロボ本体２における上部側の一つの壁面部に連結したストロボ光発光面１１を備えた略略直方体状のストロボ発光部１０と、前記ストロボ発光部１０を、前記ストロボ光発光面１１側が、図１に示すストロボ光照射位置と、図６に示すストロボ本体２側に隠れる収納位置とにわたって回動させる発光部回動機構部２０と、を有している。
【００１６】
前記ストロボ本体２は、ストロボシュー部５を下部側に備えた基体３と、この基体３の上部に連結した略略直方体状のヘッド部４とにより構成し、ヘッド部４の壁面部に前記ストロボ発光部１０を連結している。
【００１７】
前記発光部回動機構部２０は、図２に分解して示すように、前記ストロボ本体２を構成するヘッド部４から前記ストロボ発光部１０の側壁に臨む位置に突設した円形孔２１を有する例えば一対構成の支持片２２と、前記ストロボ発光部１０の側壁から前記円形孔２１に遊嵌する状態で、かつ、貫通する状態で側方に突設され、前記支持片２２により回動可能に支持される回動軸１２と、この回動軸１２の突出端に前記支持片２２の側面の一部を覆うようにして装着した回動操作蓋体１３と、を具備している。
【００１８】
そして、前記回動操作蓋体１３の図１に示す矢印方向への回動操作により、前記ストロボ発光部１０のストロボ光発光面１１側を、図１に示すストロボ光照射位置と図６に示すストロボ本体２側に隠れる収納位置とに１８０度回動させるように構成している。
【００１９】
尚、前記発光部回動機構部２０によるストロボ発光部１０の回動角度範囲は、１８０度に限らず、ストロボ光発光面１１が図１に示す位置よりも前方斜め上方に臨むように又は垂直上方に臨むようにすることももちろん可能である。
【００２０】
前記発光部回動機構部２０は、さらにストロボ発光部１０の回動操作時にクリック感を与えるクリック機構３１を備えている。
【００２１】
前記クリック機構３１は、図３に示すように、前記回動軸１２と円形孔２１とにわたって設けている。すなわち、前記クリック機構３１は、前記円形孔２１の内周部に円周方向に沿って所定間隔（例えば３０度間隔）で穿設した所要数の係合凹部２１ａと、前記回動軸１２に組み込んだ嵌込体３２とを有している。
前記嵌込体３２には、長溝穴３３を穿設し、この長溝穴３３の底部に配置したバネ３４（例えばコイルバネ）により外側に向けて付勢する状態で係合片３５を配置している。
【００２２】
さらに、前記嵌込体３２の一部に長溝穴３３に連なるストッパー凹部３６を設け、前記係合片３５の一部に突設したストッパー突片３５ａをストッパー凹部３６に係合させて係合片３５の位置規制を行なうように構成している。
【００２３】
そして、前記回動操作蓋体１３の回動操作に応じて、前記バネ３４の付勢力を利用して前記係合片３５の先端部を、前記係合凹部２１ａに没入させたり、前記円形孔２１の内周部に当接させたりして、ストロボ発光部１０の回動操作時に良好なクリック感を持たせるように構成している。
【００２４】
次に、本実施例に係るストロボ装置１の作用を、前記ストロボ発光部１０の回動操作を主にし、図４乃至図６をも参照して説明する。
【００２５】
本実施例に係るストロボ装置１において、図示しないがカメラにおけるカメラシュー部へこのストロボ装置１を装着し、ストロボ発光を実行する際には、前記ストロボ発光部１０を図１に示すストロボ光照射位置とする。
【００２６】
一方、前記ストロボ装置１を使用せず運搬する時等においては、カメラマンは、前記回動操作蓋体１３に指を掛け、図１、図４、図５に示す矢印方向に回して、前記ストロボ発光部１０を図１に示すストロボ光照射位置から、図４に示すようにストロボ光発光面１１が斜め下方に向く位置、図５に示すようにストロボ光発光面１１が下方に向く位置、図６に示すようにストロボ光発光面１１がヘッド部４の壁面部側に隠れる収納位置となるように順に回動させる。
【００２７】
前記ストロボ発光部１０のストロボ光発光面１１が、図６に示すストロボ本体２を構成するヘッド部４の壁面部側に隠れる収納位置に至った状態では、前記ストロボ光発光面１１は完全に遮蔽状態となり、これにより、運搬時等においてストロボ光発光面１１が他の部材と接触して損傷したり、汚れたりするという事態を皆無とすることができ、次にストロボ装置１のストロボ発光動作を実行する際に本来のストロボ光照射機能を発揮させることができる。
【００２８】
また、ストロボ発光部１０の上述した回動操作時において、前記クリック機構３１における係合片３５の係合凹部２１ａに対する没入及び円形孔２１の内周部への当接動作により良好な操作感を得ることができる。
【産業上の利用可能性】
【００２９】
本発明は、上述した図１等に示す形態のストロボ装置の他、ストロボシュー部をストロボ本体に備え、ストロボ発光部をストロボ本体と一体に、又は、ストロボ本体に対して回動可能に備える構成のストロボ装置であれば、その形態の大小、仕様の別を問わず広範に適用可能である。
【図面の簡単な説明】
【００３０】
【図１】本発明の実施例に係るストロボ装置の斜視図である。
【図２】本実施例に係るストロボ装置の部分拡大斜視図である。
【図３】本実施例に係るストロボ装置のクリック機構を示す部分拡大断面図である。
【図４】本実施例に係るストロボ装置のストロボ発光部の回動開始状態を示す斜視図である。
【図５】本実施例に係るストロボ装置のストロボ発光部の９０度回動状態を示す斜視図である。
【図６】本実施例に係るストロボ装置のストロボ発光部の収納状態を示す斜視図である。
【符号の説明】
【００３１】
１    ストロボ装置
２    ストロボ本体
３    基体
４    ヘッド部
５    ストロボシュー部
６    クランプリング
１０    ストロボ発光部
１１    ストロボ光発光面
１２    回動軸
１３    回動操作蓋体
２０    発光部回動機構部
２１    円形孔
２１ａ  係合凹部
２２    支持片
３１    クリック機構
３２    嵌込体
３３    長溝穴
３４    バネ
３５    係合片
３５ａ  ストッパー突片
３６    ストッパー凹部
【図１】
2009204634.tif 000003
【図２】
2009204634.tif 000004
【図３】
2009204634.tif 000005
【図４】
2009204634.tif 000006
【図５】
2009204634.tif 000007
【図６】
2009204634.tif 000008